(57)【要約】【課題】安価なサック形式のフタ部の開閉を容易に行うことが可能な包装箱を提供する。【解決手段】組み立てた際に、差込フラップ７が接する側の天板２に指を差し込むための挿入孔９を設ける。挿入孔９は、天板２の差込フラップ７の差込側の端から差込フラップの差込方向の長さよりも長い位置から短い位置に渡って設けられる。これにより、組み立てた状態で差込フラップ７が挿入孔９から見えることになり、包装箱の開封が容易になる。【選択図】  図１
2004315038.tif 000002
【特許請求の範囲】
【請求項１】
差込フラップを有する箱であって、当該差込フラップの差込時に差込フラップと接する側の板に指を差し込むための挿入孔を設けてなり、当該挿入孔は、前記差込フラップが接する側の板の前記差込フラップの差込側の端から前記差込フラップの差込方向の長さよりも長い位置から短い位置に渡って設けられていることを特徴とする包装箱。
【請求項２】
前記挿入孔の周囲がミシン目で形成されていることを特徴とする請求項１に記載の包装箱。
【請求項３】
前記差込フラップの、差込時に前記挿入孔を設けた板に向く側の面に、広告を掲載したことを特徴とする請求項１または請求項２に記載の包装箱。
【請求項４】
前記包装箱は、複数の差込フラップを有し、
各差込フラップが接する板に、前記挿入孔が設けられていることを特徴とする請求項１から請求項３のいずれかに記載の包装箱。
【請求項５】
前記包装箱は、人物やキャラクターの形状を模した人形であるフィギュアを包装するためのものであることを特徴とする請求項１から請求項４のいずれかに記載の包装箱。
【発明の詳細な説明】
【０００１】
【産業上の利用分野】
本発明は、安価に作成できると共に内容物を容易に取り出すことが可能な包装箱に関する。
【０００２】
【従来の技術】
ふるくから、商品の包装には、箱が利用されている。最も多く用いられているのはサック形式のものであり、安価であることが特徴である。
【０００３】
【発明が解決しようとする課題】
しかしながら、従来の一般的なサック形式の箱では、フタ部の開閉が面倒なものとなっている。そこで、本発明は、安価なサック形式のフタ部の開閉を容易に行うことが可能な包装箱を提供することを課題とする。
【０００４】
【課題を解決するための手段】
上記課題を解決するため、本発明では、包装箱を、差込フラップの差込時に差込フラップと接する側の板に指を差し込むための挿入孔を設けてなり、当該挿入孔は、前記差込フラップが接する側の板の前記差込フラップの差込側の端から前記差込フラップの差込方向の長さよりも長い位置から短い位置に渡って設けたことを特徴とする。
【０００５】
本発明によれば、差込フラップを有する包装箱に、差込フラップを差し込んだ状態のときに、差込フラップの先端が挿入孔から見える位置になるように、挿入孔を設けたので、安価なサック形式の箱として作成しても、フタ部の開閉を容易に行うことが可能となる。
【０００６】
【発明の実施の形態】
以下、本発明の好適な実施形態について、図面を参照して詳細に説明する。
（包装箱の形態）
本発明に係る包装箱の一実施形態を図１に示す。図１（ａ）は本発明に係る包装箱の展開図、図１（ｂ）は、図１（ａ）に示した包装箱を組み立てた状態の外観斜視図である。図１（ａ）において、１は底板、２は天板、３は側板、４は前板、５は後板、６は小フラップ、７は差込フラップ、８は糊代片、９は挿入孔である。底板１から糊代片８は、サック箱を構成するためのものである。サック箱においては、前板４と差込フラップ７、後板５と差込フラップ７がフタ部として機能する。本発明は、天板２の所定の位置に挿入孔９を設けたことを特徴としている。本来、サック箱において底板と天板の区別はないが、ここでは、底板１側に前板４を介して差込フラップ７が連続しており、天板２側には、差込フラップ７が連続していない点で区別されている。差込フラップが連続している板と対向する板には、差込フラップの差込時に差込フラップが接することになり、本発明では、差込フラップが接する板に挿入孔を設けることに意味がある。
【０００７】
挿入孔９は、通常の人の指が入る程度の大きさであり、好ましくは直径１５ｍｍ程度としている。挿入孔９を設ける位置としては、天板２の２つの端のうち、差込フラップ７が差し込まれる側の端から、差込フラップ７の長さよりも長い位置から短い位置に渡って設ける。ここで、図１（ａ）に示した展開図の拡大図を図２に示す。図２において、点線７´で示した部分は差込フラップ７が差し込まれた状態、すなわち、包装箱が組みたてられた状態の差込フラップ７の位置を示している。また、図２中、Ａは差込フラップ７の差込方向における長さを示しており、Ｂ、Ｃはそれぞれ、天板２の差込フラップ７の差込側の端から挿入孔の上端と下端との距離を示している。本発明では、これらが、Ｃ＞Ａ＞Ｂという関係となるように設定されている。例えば、差込フラップ７の長さ（Ａ）が１６ｍｍ、挿入孔の直径が１５ｍｍの場合、挿入孔９は、天板２の差込フラップ７の差込側の端から８ｍｍ（Ｂ）〜２３ｍｍ（Ｃ）の位置に渡って設けられる。なお、図１（ａ）、図２に示した展開図で示す包装箱は１枚の用紙を打ち抜き加工することにより形成されている。ここで、用紙は、天間製紙株式会社製「ＧＯＤ−Ｆ」（３１０ｇ／ｍ２）などのボード紙を使用している。また、挿入孔９についても同時に打ち抜き加工をすることで製造工程を短縮することが好ましい。
【０００８】
図１（ａ）の展開図で示した包装箱は、各板、フラップ、糊代片の間を全て谷折することにより、図１（ｂ）に示したような外観を呈する包装箱が形成される。なお、包装箱形成の際、糊代片８には糊付けが行われた後、底板１の左端に貼着される。図１（ｂ）に示すように、組み立てて差込フラップ７が差し込まれると、天板２に設けられた挿入孔９からは、差込フラップ７の一部が見えることになる。
【０００９】
（包装箱の開封）
商品は、図１（ｂ）に示したような包装箱に入れられて流通されることになる。商品が封入された包装箱を受け取った消費者は、従来のサック箱と同様に、差込フラップ７を開けて商品を取り出すことになる。この際、まず、消費者は、挿入孔９に指を入れる。挿入孔９には、差込フラップ７の先端が達しているので、実際には、その下側の差込フラップ７が達していない部分に指を挿入することになる。そして、挿入した指で差込フラップ７を上側に押してやり、差込フラップ７を開ける。図３（ａ）に差込フラップ７を開けた状態を示す。このように、容易に差込フラップ７を動かすことが可能になり、しかも差込フラップ７に必要以上の力が加わらないため、差込フラップ７の変形を阻止することができる。差込フラップ７が変形しないことは、開け易いこと以上に、包装箱を大切に保存しておきたい消費者にとっては、重要な意味を持つ。例えば、人物やアニメーションなどのキャラクターを模した人形（通常、フィギュアと呼ばれる。以下フィギュアと呼ぶ。）を封入した場合、愛好家にとっては、中身だけでなく、その包装箱も大切に保存したいと思う場合が多い。本実施形態では、包装箱自体は、用紙を打ち抜き加工して安価に製造できるものであるが、包装箱表面に印刷されたデザイン等によって、愛好家にとっては、価値の高いものとなる。
【００１０】
（挿入孔の変形例）
上記の包装箱は、包装箱全体にシュリンク包装を施して流通させるようにしても良い。シュリンク包装を施すことにより、流通過程において、挿入孔９による段差に他のものが刺さってしまう可能性が低くなる。このようにシュリンク包装が施されれば、挿入孔９による段差が流通上支障を来すことはないが、挿入孔９がむき出しの場合には、他の本の端などが刺さる可能性がある。これを防止するために、挿入孔９の円周をミシン加工するようにしても良い。挿入孔９の円周にミシン加工を施した例を図４に示す。図４において、１０はミシン目を示している。図３に示すような包装箱を取得した消費者は、ミシン加工された部分を指で押して、ミシン目１０部分を破り、挿入孔９を形成する。そして、この挿入孔９を利用して上述のように差込フラップ７を持ち上げて、包装箱９を開ける。
【００１１】
（広告の印字）
本発明の包装箱には、差込フラップに広告を設けることができる。このような例を図３（ｂ）に示す。図３（ｂ）に示すように、差込フラップ７の天板２と当る面に広告を設ける。こうすることにより、差込フラップ７を開けて差込フラップが包装箱内部から外に出た際に、広告が開けている人の側に向くことになる。包装箱を開ける人は、挿入孔９に指を挿入する必要があるため、挿入孔９付近に注意を傾けることになる。このため、広告が即座に目に飛び込み、広告効果は高いものとなる。
【００１２】
（開封後の利用法）
開封後は、上記挿入孔９は、壁掛けのための孔としても利用することができる。利用者は、挿入孔９を、壁などに設けられた突起に通すことにより、包装箱を壁に飾ることができる。すなわち、上記挿入孔９は、開封時に開け易くすることと併せて２つの効果を持つことになる。
【００１３】
（挿入孔を複数設けた例）
上記の例では、挿入孔９を一つだけとしたが、複数設けるようにしても良い。図５に挿入孔を２つ設けた例を示す。図５（ａ）においては天板２に２つの挿入孔９が設けられており、前板４側と後板５側にそれぞれ対応している。包装箱を組み立てた場合は、図５（ｂ）に示すように、各挿入孔９から差込フラップ７が見えるようになっており、どちらの挿入孔９を利用しても容易に開封が可能となる。
【００１４】
【発明の効果】
以上、説明したように本発明によれば、差込フラップを有する箱として、差込フラップの差込時に差込フラップと接する側の板に指を差し込むための挿入孔を設け、挿入孔は、差込フラップが接する側の板の差込フラップの差込側の端から差込フラップの差込方向の長さよりも長い位置から短い位置に渡って設けたので、安価なサック形式の箱として作成しても、フタ部の開閉を容易に行うことが可能となるという効果を奏する。また、開封後は、挿入孔を利用して壁掛けに利用することができるという効果も奏する。
【図面の簡単な説明】
【図１】本発明に係る包装箱の一実施形態を示す図である。
【図２】本発明に係る包装箱の拡大展開図である。
【図３】本発明に係る包装箱を開封する際の様子を示す図である。
【図４】挿入孔９をミシン目加工した例を示す図である。
【図５】挿入孔９を複数設けた例を示す図である。
【符号の説明】
１・・・底板
２・・・天板
３・・・側板
４・・・前板
５・・・後板
６・・・小フラップ
７・・・差込フラップ
８・・・糊代片
９・・・挿入孔
１０・・・ミシン目
【図１】
2004315038.tif 000003
【図２】
2004315038.tif 000004
【図３】
2004315038.tif 000005
【図４】
2004315038.tif 000006
【図５】
2004315038.tif 000007